(57)【要約】【課題】バックライトユニットの消灯後でもある程度の時間にわたり表示内容が視認可能な電気光学装置を提供する。【解決手段】液晶表示装置に使用されるエッジライト、直下型バックライトおよびフロントライト等のバックライトユニットにおいて、バックライトユニットの消灯後でも、蓄光性夜光物質の微発光性を利用することにより、表示内容の視認を可能とする。具体的には、バックライトユニットに蓄光性夜光物質を用いた構造、または、電気光学装置用基板に蓄光性夜光物質を用いる。蓄光性夜光物質は、バックライトの点灯中にその光を蓄積し、バックライト消灯後にも発光する。これにより、バックライト消灯後でも、表示内容の視認を可能とした電気光学装置を提供することができる。【選択図】　　　図１
2004039501.tif 000002
【特許請求の範囲】
【請求項１】
光源と、蓄光性夜光物質を含有した材料により構成される導光板とを備えることを特徴とするバックライトユニット。
【請求項２】
光源と、蓄光性夜光物質を含有した部材を側面に設けた導光板とを備えることを特徴とするバックライトユニット。
【請求項３】
前記蓄光性夜光物質を含有した部材は、前記光源と対向する位置に設けられていることを特徴とする請求項２に記載のバックライトユニット。
【請求項４】
前記蓄光性夜光物質を含有したシート又はフィルムが前記側面に貼着されていることを特徴とする請求項２又は３に記載のバックライトユニット。
【請求項５】
前記蓄光性夜光物質を含有した材料が前記側面に塗布されていることを特徴とする請求項２又は３に記載のバックライトユニット。
【請求項６】
請求項１乃至５のいずれかに記載のバックライトユニットと、電気光学パネルと、を備えることを特徴とする電気光学装置。
【請求項７】
対向する一対の基板間に電気光学物質を挟持してなる電気光学パネルにおいて、前記一対の基板の少なくとも一方に蓄光性夜光物質を含有することを特徴とする電気光学パネル。
【請求項８】
請求項７に記載の電気光学パネルを表示部として備えた電子機器。
【請求項９】
高分子材料に、蓄光性夜光物質を含有させる工程と、
前記蓄光性夜光物質を含有する高分子材料を成形する工程と、を有する導光板の製造方法。
【請求項１０】
高分子材料を成形する工程と、
前記工程における成形物の側面に、蓄光性夜光物質を塗布する工程と、を有する導光板の製造方法。
【請求項１１】
高分子材料を成形する工程と、
前記工程における成形物の側面に、蓄光性夜光物質を含有したフィルムおよびシートを貼り付ける工程と、を有する導光板の製造方法。
【請求項１２】
材料に蓄光性夜光物質を含有させる工程と、
前記蓄光性夜光物質を含有する材料にて基板を形成する工程と、を有する基板の製造方法。
【請求項１３】
前記基板材料は、ガラス又は透光性樹脂であることを特徴とする請求項１２に記載の基板の製造方法。
【請求項１４】
各々の背面側が対向するように配置された一対の電気光学パネルと、
前記電気光学パネルの各々の背面側に設けられた一対のバックライトユニットと、
前記一対のバックライトユニットの間に設けられ、蓄光性夜光物質を利用した板状の発光体と、を備えることを特徴とする電子機器。
【発明の詳細な説明】
【０００１】
【発明の属する技術分野】
本発明は、視認可能な光量を発光することができるバックライトユニットおよび電気光学装置用基板に関する。また、本発明は、前記バックライトユニットおよび電気光学装置用基板を用いて構成される電気光学装置に関する。
【０００２】
【背景技術】
近年のマルチメディア社会の急速な進展の中で、場所、時を問わず情報のやり取りが行える携帯機器分野の発展が目覚しく、この分野においては、フラットパネルデイスプレイの１つである液晶表示装置が多く用いられている。
【０００３】
軽量・薄型・低消費電力が長所である反射型液晶表示装置は、光源システムを持たず、外光のみで表示視認を行っている。しかし、夜間の戸外や暗所などを含む多様な環境下における使用を考慮し、フロントライト方式のバックライトユニットを有する反射型液晶表示装置、エッジライト方式やエリアライト方式のバックライトユニットを有する透過型液晶表示装置や半透過反射型液晶表示装置も開発されている。
【０００４】
【発明が解決しようとする課題】
上記液晶表示装置などの電気光学装置では、各種携帯機器の開発が推進され、高輝度化、薄型化、低消費電力化への要求が高まっている。液晶表示装置は、装置自身が発光しないので、その表示を暗所でも目視できるように、一般的には液晶表示装置の下方に、バックライトユニットを配置した構成が多く採用されている。
【０００５】
バックライトユニットには、透過型液晶表示装置や半透過型液晶表示装置に用いられるエリアライト方式バックライトおよびエッジライト方式バックライト、反射型液晶表示装置に用いられるフロントライト方式のバックライトなどが挙げられる。バックライトから発せられた光が液晶表示装置を透過することにより、液晶表示装置の表示が暗所でも見えるようになっている。
【０００６】
上記バックライトが点灯しているときは、観測者は例え暗所においても表示を確認することが可能である。しかしながら、常時、バックライトを点灯させたままであれば、使用される消費電力は、非常に高くなってしまう。そのため、特に、低消費電力化が必要とされている携帯機器などでは、常時点灯させたままの使用は難しい。実際、液晶表示装置を利用した携帯電話や携帯型電子端末においては、所定時間にわたって入力や操作が行われない場合には、バックライトを自動的にオフする機能が搭載されている。よって、暗所などでは、バックライトがオフになってしまうと、何らかの入力・操作を行わない限り表示内容を視認することができなくなる。しかし、バックライトの消灯後でも、ある程度の時間にわたってユーザが表示内容を視認できるようにしたいという要求が存在する。例えば、携帯電話や携帯型端末などにおいて受信した電子メールを表示させたような状況では、ユーザは表示操作後は特に操作を行うことなく表示内容を見ることになる。しかし、表示操作後に所定時間が経過すると、バックライトは自動消灯するため、その後、ユーザは表示された内容を見ることができなくなってしまう。
【０００７】
本発明の目的は、蓄光性夜光物質を用いることにより、バックライト消灯後でも画面表示の視認を可能とする液晶表示装置を提供するものである。
【０００８】
【課題を解決するための手段】
本発明の１つの観点では、バックライトユニットは、光源と、蓄光性夜光物質を含有した材料により構成される導光板とを備える。このバックライトユニットは、例えば液晶表示パネルなどの電気光学パネルの光源として利用される。バックライトユニットの点灯時は、光源からの照明光により電気光学パネルが照明され、表示内容が視認可能となる。一方、バックライトユニットの消灯後でも、点灯中に蓄光された光により蓄光性夜光物質が発光するので、表示内容を引き続き視認可能となる。
【０００９】
本発明の他の観点では、バックライトユニットは、光源と、蓄光性夜光物質を含有した部材を側面に設けた導光板とを備える。このバックライトユニットは、例えば液晶表示パネルなどの電気光学パネルの光源として利用される。バックライトユニットの点灯時は、光源からの照明光により電気光学パネルが照明され、表示内容が視認可能となる。一方、バックライトユニットの消灯後でも、点灯中に蓄光された光により蓄光性夜光物質が発光するので、表示内容を引き続き視認可能となる。
【００１０】
上記のバックライトユニットにおいて、前記蓄光性夜光物質を含有した部材を、前記光源と対向する位置に設けることにより、光源の点灯中に蓄光性物質に効率的な蓄光がなされる。蓄光性夜光物質を含有した部材を設ける方法としては、蓄光性夜光物質を含有したシート又はフィルムを側面に貼着してもよく、又は、蓄光性夜光物質を含有した材料を前記側面に塗布してもよい。
【００１１】
また、上記のバックライトユニットを電気光学パネルの光源として利用した電気光学装置を構成することができる。
【００１２】
本発明のさらに他の観点では、電気光学パネルは、対向する一対の基板間に電気光学物質を挟持してなる電気光学パネルにおいて、前記一対の基板の少なくとも一方に蓄光性夜光物質を含有する。この電気光学装置は、光源としてバックライトユニットを利用する。バックライトユニットの点灯時は、光源からの照明光により電気光学パネルが照明され、表示内容が視認可能となる。一方、バックライトユニットの消灯後でも、点灯中に蓄光された光により、基板が含有している蓄光性夜光物質が発光するので、表示内容を引き続き視認可能となる。上記電気光学パネルを表示部として備える電子機器を構成することができる。
【００１３】
本発明のさらに他の観点では、導光板の製造方法は、高分子材料に、蓄光性夜光物質を含有させる工程と、前記蓄光性夜光物質を含有する高分子材料を成形する工程と、を有する。また、さらに他の観点では、導光板の製造方法は、高分子材料を成形する工程と、前記工程における成形物の側面に、蓄光性夜光物質を塗布する工程と、を有する。また、さらに他の導光板の製造方法では、高分子材料を成形する工程と、前記工程における成形物の側面に、蓄光性夜光物質を含有したフィルムおよびシートを貼り付ける工程と、を有する。これらの製造方法により、蓄光性夜光物質を含有する導光板を製造することができ、それをバックライトユニットなどに利用することができる。
【００１４】
本発明のさらに他の観点では、基板の製造方法は、材料に蓄光性夜光物質を含有させる工程と、前記蓄光性夜光物質を含有する材料にて基板を形成する工程と、を有する。この基板を電気光学パネルなどに利用することにより、バックライトユニットの消灯後も表示内容を視認可能とすることができる。上記基板材料は、ガラス又は透光性樹脂とすることができる。
【００１５】
本発明のさらに他の観点では、各々の背面側が対向するように配置された一対の電気光学パネルと、前記電気光学パネルの各々の背面側に設けられた一対のバックライトユニットと、前記一対のバックライトユニットの間に設けられ、蓄光性夜光物質を利用した板状の発光体と、を備える。この電子機器は、例えば折り畳み式携帯電話などに適用され、折り畳み状態で観察される外部表示用電気光学パネルと、開いた状態で観察される内部表示用電気光学パネルとを備える。それぞれの電気光学パネルの背面側にはバックライトユニットが設けられ、その間に蓄光性夜光物質を利用した板状の発光体が設けられる。２つのバックライトユニットにいずれの点灯によっても、板状の発光体に蓄光されるので、バックライトユニットの消灯後も表示内容を視認可能となる。
【００１６】
【発明の実施の形態】
以下、図面を参照して本発明の好適な実施の形態について説明する。
【００１７】
以下に説明する本発明の第１乃至第３実施形態は、液晶表示装置に蓄光性夜光物質を用いることを特徴としている。
【００１８】
本発明に使用される蓄光性夜光物質は、太陽光や蛍光灯等の外部エネルギーを吸収し、光エネルギーとして放出する、要するに発光する性質を有する。外見上は、光を一時的に蓄えて発光することから、蓄光という言葉が使用されている。この吸収および発光の作用は、何回でも繰り返し可能であり、反復的に利用が可能である。
【００１９】
この蓄光性夜光物質には、例として、硫化カルシウム系、硫化亜鉛系、アルミン酸ストロンチウム系などが挙げられる。
【００２０】
例として、アルミン酸ストロンチウム系の蓄光性夜光物質に、１０００ｌｕｘの白色蛍光灯を３０分点灯した場合、蓄光性夜光物質は、１０分後でも、１０００ｍｃｄ／ｍ２の残光輝度を発光することができる。
【００２１】
液晶表示装置の下方に設置されているバックライトは、主に３０００ｃｄ／ｍ２程度の輝度を有するものを使用している。しかし、携帯機器を用いて、手軽な作業をする場合であれば、３０００ｃｄ／ｍ２まで輝度を特に必要とせず、例えば、１０００ｍｃｄ／ｍ２程度の明るさでも使用可能である。そのため、上述した蓄光性夜光物質の発光輝度であれば、携帯機器の使用に特に不都合のない程度の発光を提供することができる。
【００２２】
したがって、本実施形態により、バックライトの消灯下においても、携帯端末機器等の表示内容を視認して手軽な作業を行うことが可能になる。以下、本実施形態について、詳細を説明するが、本発明の範囲は以下に述べる実施例に限定されるものではない。
【００２３】
［第１実施形態］
第１実施形態は、液晶表示装置の下方に設置されているバックライトユニットの導光板自身に、蓄光性夜光物質を含有させて使用することを特徴としている。
【００２４】
（構成）
図１に第１実施形態の構成図を示す。液晶表示装置１００は、大きく分けて液晶ユニット２００とバックライトユニット３００で構成されている。
【００２５】
まず、液晶ユニット２００の構成について説明する。
【００２６】
ガラスなどの絶縁性基板１、２の表面に透明電極膜３、４がそれぞれ形成されると共に、液晶分子を一定の方向に配向させる図示しない配向膜がさらに設けられる。２枚の絶縁性基板１、２は、図示しないスペーサーにより一定の間隔を保持しながら、上述の透明電極膜３、４が対向するように、その周囲で図示しないシール材により貼着される。２枚の絶縁性基板１、２の隙間に液晶材料が注入されることにより、液晶層５が２枚の絶縁性基板１、２により挟持される。さらに、絶縁性基板１、２の外側には、それぞれ偏光板６、７が設けられ、これらにより液晶ユニット２００が形成されている。この対向する透明電極膜３、４に電圧が印加されることにより、その間に挟持されている液晶分子の配列が変化し、偏光板６、７の吸収軸の方向と共にバックライトユニット３００からの光の透過および不透過が制御され、所望の表示を得ることができる。
【００２７】
一方、バックライトユニット３００は、主に導光板１１と、ＬＥＤや冷陰極蛍光ランプなどの光源２０と、リフレクタ、反射フィルムなどで構成されている。
【００２８】
導光板１１としては、アクリル樹脂（ポリメチルメタクリレートＰＭＭＡ）や、ポリカーボネイトなどの高分子材料が使用される。アクリル樹脂は、透明性に優れる代表的な高分子材料であり、その光弾性係数や複屈折は比較的小さく、成形時の残留応力や流動配向が成形品の光特性に与える影響は小さい。また、ポリカーボネイトは、ガラス転移温度は、１４５℃と比較的耐熱性に優れた材料である。
【００２９】
本実施形態では、上述した蓄光性夜光物質、例えば、硫化カルシウム系、硫化亜鉛系、アルミン酸ストロンチウム系を、導光板形成時にアクリル樹脂に含有させ、蓄光性夜光物質の特性を有する導光板１１をバックライトユニット３００に設ける。
【００３０】
バックライト点灯時は、図１の表示例１のように表示画像は鮮明に視認できるが、通常バックライト消灯下では確認することができない。しかし、本実施形態による導光板１１を使用することによって、図１の表示例２のように画像を視認することが可能となる。
【００３１】
つまり、蓄光性夜光物質を含有した導光板１１は、バックライト点灯時に光エネルギーを吸収することによって、バックライトの消灯下においても微発光する。これにより、バックライトの消灯後でも表示内容が視認可能な液晶表示装置を提供することができる。
【００３２】
（導光板の製造方法例）
次に、導光板１１の製造方法例の詳細を説明する。導光板１１の製造方法には、例として、高温・高圧で金型に押し込む成形方法と紫外線硬化による成形方法が挙げられる。
【００３３】
高温・高圧で金型に押し込む成形方法では、金型に押し込む材料、例えば、アクリル樹脂などに、蓄光性夜光物質を含有させ、均一に拡散させる。この材料を導光板用金型に定量定速注入する。この後、高温・高圧工程を実施し、成形する。
【００３４】
また、紫外線硬化による成形方法では、紫外線硬化させる材料、例えば、光硬化アクリル樹脂などのモノマーに、蓄光性夜光物質を含有させ、均一に拡散させる。この材料を用いて、導光板用金型に、定量定速注入を実施する。注入後、金型の上にアクリル板をのせ、アクリル板の上から、一定の圧力を加える。この後、全面に均一の紫外線を照射する。照射後、金型から、アクリル板を引き剥がし、オートクレープにて処理を実施する。引き剥がされたアクリル板の上には、金型にて作成された本実施形態の導光板１１が形成される。
【００３５】
［第２実施形態］
次に、本発明の第２実施形態について説明する。第２実施形態は、液晶表示装置の下方に設置されているバックライトユニットの一部である導光板の側面に、蓄光性夜光物質を含有したシートまたはフィルムを貼りつけて使用することを特徴としている。
【００３６】
（構成）
第２実施形態に係る液晶表示装置の概略構成を図２に示す。第２実施形態に係る液晶表示装置４００も、大きく分けて液晶ユニット２００とバックライトユニット５００で構成されている。なお、液晶ユニット２００の構成は図１を参照して説明した第１実施形態のものと同一であるので、説明を省略する。
【００３７】
バックライトユニット５００は、主に導光板１２と、光源２０と、リフレクタ、反射フィルムなどで構成されている。
【００３８】
導光板１２は、例えば、主材料がアクリル樹脂である導光板の側面、光源及びリフレクタが設置されていない３面に、蓄光性夜光物質、例えば、硫化カルシウム系、硫化亜鉛系、アルミン酸ストロンチウム系を含有したシートおよびフィルムを貼り付けて構成される。また、その代わりに蓄光性夜光物質を側面に塗布しても良い。
【００３９】
バックライト点灯時に図２の表示例３に示すように鮮明に視認できる画像は、通常バックライト消灯下では視認することができない。しかし、導光板１２を使用することによって、図２の表示例４のように、バックライト消灯後でも表示画像を視認することができるようになる。
【００４０】
つまり、３面に蓄光性夜光物質を含有したシートおよびフィルムを設けている導光板１２は、バックライト点灯時に光エネルギーを吸収することによって、バックライト消灯下においても微発光する。これにより、バックライト消灯後でも表示内容を視認可能な液晶表示装置４００を提供できる。
【００４１】
［第３実施形態］
第３実施形態は、液晶表示装置を構成している液晶ユニットの一部であるガラス基板自身に、蓄光性夜光物質を含有させることを特徴としている。
【００４２】
（構成）
図３に、本実施形態による液晶表示装置の概略構成を示す。図示のように、液晶表示装置６００は、大きく分けて液晶ユニット７００とバックライトユニット８００で構成されている。
【００４３】
まず、液晶ユニット７００の構成について説明する。ガラスなどの絶縁性基板１ａ、２の表面に透明電極膜３、４がそれぞれ形成されると共に、液晶分子を一定の方向に配向させる図示しない配向膜が設けられている。２枚の絶縁性基板１ａ、２は、図示しないスペーサーにより一定の間隔を保持しながら、前述の透明電極膜３、４が対向するように、その周囲で図示しないシール材により、貼着される。そして、基板１ａ、２の間に液晶材料が注入されることにより液晶層５が２枚の絶縁性基板１ａ、２により挟持される。さらに、絶縁性基板１ａ、２の外側には、それぞれ偏光板６、７が設けられ、これらにより液晶ユニット７００が形成されている。この対向する透明電極膜３、４に電圧が印加されることにより、その間に挟持された液晶分子の配列が変化し、偏光板６、７の吸収軸の方向と共にバックライトユニット８００からの光の透過および不透過が制御され、所望の表示を得ることができる。
【００４４】
ここで、本実施形態では、上述した蓄光性夜光物質、例えば、硫化カルシウム系、硫化亜鉛系、アルミン酸ストロンチウム系を、絶縁性基板形成時に含有させ、蓄光性夜光物質の特性を有する絶縁性基板１ａを液晶ユニット７００に設けている。
【００４５】
バックライト点灯時に図３の表示例５のように鮮明に視認できる画像は、通常バックライト消灯下では確認することができない。しかし、絶縁性基板１ａを使用することによって、図３の表示例６のように、バックライト消灯後でも表示画像を視認することが可能となる。
【００４６】
つまり、蓄光性夜光物質を含有した絶縁性基板１ａは、バックライト点灯時に光エネルギーを吸収することによって、バックライトの消灯下においても微発光する。これにより、バックライト消灯後でも表示内容が視認可能な液晶表示装置を提供できる。
【００４７】
（絶縁性基板の例）
絶縁性基板１ａとしては、ソーダライムガラス、ホウケイ酸ガラス、ノンアルカリ性ガラスなどのガラス基板、エポキシ系樹脂基板、アクリル系樹脂基板、ポリカーボネイト系樹脂基板などのプラスチック基板などが挙げられる。本発明の絶縁性基板１３は、これらの基板作製工程において、溶融した主材料に蓄光性夜光物質を含有させて形成する。
【００４８】
［液晶表示パネル］
次に、本実施形態を利用した液晶表示パネルの構成について説明する。なお、図４に示した液晶表示パネル１００、４００、６００は、透過型液晶表示装置を示しているが、本発明は、半透過反射型液晶表示装置にも使用できる。
【００４９】
図４は、スイッチング素子が形成された基板２ｂの反対側に位置する基板１ｂにカラーフィルタ層を有する場合を示している。要するに、カラーフィルタ赤８、カラーフィルタ緑９、カラーフィルタ青１０が設置されている基板１ｂを用いている。
【００５０】
液晶表示パネル１００、４００は、ガラスやプラスチック基板などからなる基板１ｂと基板２ｂとが、シール材１２を介して貼り合わせられ、このパネル内部に液晶５が封入されている。また、基板１ｂの外面上には、位相差板１４および偏光板７が順に配置され、基板２ｂの外面上には、位相差板１３および偏光板６が配置される。なお、偏光板の下方には、透過型表示を行う際に照明光を発するバックライト１５が配置される。
【００５１】
バックライト１５は、第１実施形態の液晶表示装置１００の場合には蓄光性夜光物質を含有した導光板１１を備える。また、第２実施携帯の液晶表示装置４００の場合、バックライト１５は、蓄光性夜光物質を含有したシートおよびフィルムを側面などに設けている導光板１２を備える。また、液晶表示装置６００の場合、基板１ｂは、蓄光性夜光物質を含有した絶縁性基板となる。
【００５２】
［液晶表示パネルの製造方法］
次に、図４に示した液晶表示装置１００および４００の液晶ユニット２００ａを製造する方法について、図５を参照して説明する。図５は、液晶ユニット２００ａの製造工程を示すフローチャートである。
【００５３】
まず、上記の実施形態による基板１ｂが製造される（工程Ｓ１）。さらに、カラーフィルタ赤８、カラーフィルタ緑９、カラーフィルタ青１０の上に設けられたオーバーコート層１１の上に透明導電膜４をスパッタリング法により成膜し、フォトリソグラフィ方式によってパターニングを実施し、透明電極膜４を形成する（工程Ｓ２）。
【００５４】
その後、透明電極膜４上に図示しないポリイミド樹脂などからなる配向膜を形成し、ラビング処理などを施す（工程Ｓ３）。
【００５５】
一方、基板２ｂを製作し（工程Ｓ４）、同様の方法で透明電極膜３を形成し（工程Ｓ５）、さらに透明電極上に図示しない配向膜を形成し、ラビング処理などを施す（工程Ｓ６）。
【００５６】
そして、シール材１２を介して、上記の基板１ｂと基板２ｂを貼り合わせて、パネル構造を構成する（工程Ｓ７）。基板１ｂと基板２ｂとは、基板間に分散配置された図示しないスペーサーなどによって、ほぼ規定の基板間隔となるように貼り合わせられる。
【００５７】
その後、シール材１２の図示しない開口部から液晶５を注入し、シール材の開口部を紫外線硬化性樹脂などの封止材によって封止する（工程Ｓ８）。こうして主要なパネル構造が完成した後に、位相差板や偏光板などを必要に応じてパネル構造の外面上に貼着などの方法によって取り付け（工程Ｓ９）、図４に示す液晶表示パネル１００および４００が完成する。
【００５８】
なお、液晶表示パネル６００は、基板１ｂの代わりに、蓄光性夜光物質を含有した絶縁性基板を使用する以外は同様の製造工程により製造することができる。
【００５９】
［電子機器］
図６は、本実施形態の全体構成を示す概略構成図である。ここに示す電子機器は、上記の液晶表示装置１００、４００および６００と同様の液晶表示装置９００と、これを制御する制御手段９１０を有する。ここでは、液晶表示装置９００を、パネル構造体９００Ａと、半導体ＩＣなどで構成される駆動回路９００Ｂとに概念的に分けて描いてある。また、制御手段９１０は、表示情報出力源９１１と、表示情報処理回路９１２と、電源回路９１３と、タイミングジェネレータ９１４と、を有する。
【００６０】
表示情報出力源９１１は、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）などからなるメモリと、磁気記録ディスクや光記録ディスクなどからなるストレージユニットと、デジタル画像信号を同調出力する同調回路とを備え、タイミングジェネレータ９１４によって生成された各種のクロック信号に基づいて、所定フォーマットの画像信号などの形で表示情報を表示情報処理回路９１２に供給するように構成されている。
【００６１】
表示情報処理回路９１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路９００Ｂへ供給する。駆動回路９００Ｂは、走査線駆動回路、データ線駆動回路及び検査回路を含む。また、電源回路９１３は、上述の各構成要素にそれぞれ所定の電圧を供給する。
【００６２】
次に、本発明に係る液晶表示装置を適用可能な電子機器の具体例について図７を参照して説明する。
【００６３】
まず、本発明に係る液晶表示装置を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ１０００は、キーボード１００１を備えた本体部１００２と、本発明に係る液晶表示装置を適用した表示部１００３とを備えている。
【００６４】
続いて、本発明に係る液晶表示装置を、携帯電話機の表示部に適用した例について説明する。図７（ｂ）は、この携帯電話機の構成を示す斜視図である。同図に示すように、携帯電話機１１００は、複数の操作ボタン１１０１のほか、受話口１１０２、送話口１１０３とともに、本発明に係る液晶表示装置を適用した表示部１１０４を備える。
【００６５】
なお、本発明に係る液晶表示パネルを適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００６６】
なお、携帯電話機としては、図８に示すような折り畳み式携帯電話にも本発明を効果的に適用することができる。図８（ａ）は折り畳み式携帯電話５０の折り畳み時の状態を示し、図８（ｂ）は折り畳み式携帯電話５０の内部パネルを開いた状態を示す。また、図８（ｃ）は折り畳み式携帯電話５０の切断線Ｌ１−Ｌ２による断面を示す。図示のように、折り畳み式携帯電話５０は、内部表示パネル５２と外部表示パネル５１の一対の表示パネルを備える。これら内部表示パネル５２及び外部表示パネル５１は液晶表示パネルとして構成することができる。
【００６７】
この際、図８（ｃ）に示すように、内部表示パネル５２の背面側に内部表示パネル用のバックライトユニット５４が設けられる。同様に外部表示パネル５１の背面側に外部表示パネル用のバックライトユニット５３が設けられる。そして、内部表示パネル用のバックライトユニット５４と外部表示パネル用のバックライトユニット５３の間に、上述の蓄光性夜光物質を含む板状の発光体５５を設ける。この板状の発光体５５は、上述の実施形態と同様に、蓄光性夜光物質を含む材料を成形することにより構成することもできるし、所定の厚さの板状部材の片面、又は両面に蓄光性夜光物質を含有するシールやフィルムを貼着し、又は蓄光性夜光物質を直接塗布などして構成することもできる。板状発光体５５は、バックライトユニット５３及び５４のいずれか一方が点灯すればその光を蓄光するので、バックライトユニットの消灯後も所定の明るさを保つことができる。
【００６８】
［変形例］
また、本発明の電気光学装置は、パッシブマトリクス型の液晶表示パネルだけではなく、アクティブマトリクス型の液晶表示パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、フィールド・エミッション・ディスプレイ（電界放出表示装置）などの各種の電気光学装置においても本発明を同様に適用することが可能である。
【図面の簡単な説明】
【図１】第１実施形態に係る液晶表示装置の断面図、並びに、そのバックライト点灯時及び消灯時の表示例を示す。
【図２】第２実施形態に係る液晶表示装置の断面図、並びに、そのバックライト点灯時及び消灯時の表示例を示す。
【図３】第３実施形態に係る液晶表示装置の断面図、並びに、そのバックライト点灯時及び消灯時の表示例を示す。
【図４】本発明を適用した液晶表示装置の構造を示す断面図である。
【図５】本発明を適用した液晶表示装置の製造工程を示す図である。
【図６】本発明を適用した液晶表示装置を利用する電子機器の構成を示す。
【図７】本発明を適用した液晶表示装置を備えた電子機器の例を示す。
【図８】本発明を適用した折り畳み式携帯電話の構成を示す。
【符号の説明】
１、１ａ、２　絶縁性基板
３、４　透明電極膜
５　液晶層
６、７　偏光板
１１、１２　導光板
１００、４００、６００　液晶表示装置
２００、７００　液晶ユニット
３００、５００、８００　バックライトユニット
【図１】
2004039501.tif 000003
【図２】
2004039501.tif 000004
【図３】
2004039501.tif 000005
【図４】
2004039501.tif 000006
【図５】
2004039501.tif 000007
【図６】
2004039501.tif 000008
【図７】
2004039501.tif 000009
【図８】
2004039501.tif 000010